(57)【特許請求の範囲】
【請求項１】
ウエブの走行路上に配され、前記ウエブの走行方向に沿って回転しつつ、前記ウエブの一方の片面の両耳部に接触する左右一対の粘着ローラを有し、前記一方の片面の前記粘着ローラの粘着力によってのみ前記ウエブを支持し、
前記走行路上に配され、前記走行方向に沿って回転しつつ、前記ウエブにおける前記一方の片面とは反対側の他方の片面の両耳部に接触する左右一対の粘着ローラを有し、前記他方の片面の前記粘着ローラの粘着力によってのみ前記ウエブを支持し、
前記ウエブの前記一方の片面に配された前記粘着ローラより、前記ウエブの前記他方の片面に配された前記粘着ローラが下流に配されている、
ウエブの皺延ばし装置。
【請求項２】
前記粘着ローラの回転が、前記走行方向に沿うように配されている、
請求項１に記載のウエブの皺延ばし装置。
【請求項３】
前記粘着ローラが、前記走行方向に対し前記ウエブの外側に傾斜して回転するように配されている、
請求項１に記載のウエブの皺延ばし装置。
【請求項４】
左右一対の前記粘着ローラの間に一又は複数の中粘着ローラが配され、
前記中粘着ローラが、前記走行方向に沿って回転しつつ、前記ウエブの一方の片面に接触する、
請求項１に記載のウエブの皺延ばし装置。
【請求項５】
左右一対の前記粘着ローラの間に一又は複数の中粘着ローラが配され、
前記中粘着ローラが、前記走行方向に沿って回転しつつ、前記ウエブの他方の片面に接触する、
請求項１に記載のウエブの皺延ばし装置。
【請求項６】
前記粘着ローラの粘着力が、１０ｈｐａから２００ｈｐａである、
請求項１に記載のウエブの皺延ばし装置。
【請求項７】
前記粘着ローラが、ゴムローラである、
請求項１に記載のウエブの皺延ばし装置。
【請求項８】
前記ウエブが、金属箔又はフィルムである、
請求項１に記載のウエブの皺延ばし装置。
【発明の詳細な説明】
【技術分野】
【０００１】
本発明は、ウエブの皺延ばし装置に関するものである。
【背景技術】
【０００２】
従来、走行中のウエブに発生する皺を延ばすために、熱処理装置の入口に皺を延ばすための皺延ばし装置が配されている。この皺延ばし装置は、例えば、ウエブの下面にバックアップロールが配され、ウエブの上面の両耳部に皺を延ばすための左右一対のローラが配され、このローラとバックアップロールとによってウエブを挟むことによって、ウエブの皺を延ばしている（例えば、特許文献１参照）。
【先行技術文献】
【特許文献】
【０００３】
【特許文献１】特開２０１３−９１５６０号公報
【発明の概要】
【発明が解決しようとする課題】
【０００４】
しかし、上記のウエブの皺延ばし装置においては、ウエブをローラとバックアップロールとによって挟む必要があるため、ウエブの両面に塗工液が塗工されている場合には、用いることができないという問題点があった。
【０００５】
そこで、本発明は上記問題点に鑑み、バックアップロールを用いることなくウエブの皺を延ばすことができるウエブの皺延ばし装置を提供することを目的とする。
【課題を解決するための手段】
【０００６】
本発明は、ウエブの走行路上に配され、前記ウエブの走行方向に沿って回転しつつ、前記ウエブの一方の片面の両耳部に接触する左右一対の粘着ローラを有し、前記一方の片面の前記粘着ローラの粘着力によってのみ前記ウエブを支持し、前記走行路上に配され、前記走行方向に沿って回転しつつ、前記ウエブにおける前記一方の片面とは反対側の他方の片面の両耳部に接触する左右一対の粘着ローラを有し、前記他方の片面の前記粘着ローラの粘着力によってのみ前記ウエブを支持し、前記ウエブの前記一方の片面に配された前記粘着ローラより、前記ウエブの前記他方の片面に配された前記粘着ローラが下流に配されている、ウエブの皺延ばし装置である。
【発明の効果】
【０００７】
本発明によれば、ウエブの片面の両耳部に接触する左右一対の粘着ローラによって皺を延ばすことができる。
【図面の簡単な説明】
【０００８】
【図１】本発明の一実施形態における塗工システムの説明図である。
【図２】皺延ばし装置の平面図である。
【図３】図２におけるＡ−Ａ線断面図である。
【図４】変更例１の走行装置の平面図である。
【図５】変更例２の走行装置の平面図である。
【発明を実施するための形態】
【０００９】
本発明の実施形態のウエブＷの皺延ばし装置１０について図１〜図３に基づいて説明する。本実施形態の皺延ばし装置１０は、図１に示す塗工システム１に用いられるものである。なお、長尺状のウエブＷは、金属箔である。
【００１０】
（１）塗工システム１の構成
図１に示す塗工システム１について説明する。塗工システム１は、ウエブＷの両面に塗工液を塗工し、その後に熱処理を行うものであって、ウエブＷの走行路の上流側から第１塗工装置２、案内ローラ３、第２塗工装置４、熱処理装置５、案内ローラ６が配され、本実施形態の皺延ばし装置１０は、第２塗工装置４と熱処理装置５との間に設けられている。
【００１１】
第１塗工装置２は、ウエブＷを一定の走行速度で走行させるバックアップロール２０１、バックアップロール２０１の側面に設けられたダイ２０２、塗工タンク２０３、ポンプ２０４とを有する。ポンプ２０４は、塗工タンク２０３に貯留された塗工液をダイ２０２内部の液溜め部２０５に送り、ダイ２０２は、液溜め部２０５からスリット状の吐出口２０６を通してバックアップロール２０１の外周面を走行するウエブＷの上面に塗工液を塗工する。
【００１２】
案内ローラ３は、上面が塗工されたウエブＷを水平な走行路に沿って走行させる。なお、案内ローラ３は、塗工液が塗工されていないウエブＷの下面に接触しつつ回転する。
【００１３】
第２塗工装置４は、ウエブＷの走行路の下面に配されたものであって、第１塗工装置２と同じ構造である。ポンプ４０３が、塗工タンク４０２に貯留された塗工液をダイ４０１内部の液溜め部４０４に送り、ダイ４０１は、液溜め部４０４からスリット状の吐出口４０５を通して塗工液をウエブＷの下面に塗工する。
【００１４】
皺延ばし装置１０は、ウエブＷの上面と下面にそれぞれ塗工された塗工液に接触しないようにしつつウエブＷの皺を延ばしながらウエブＷを走行させ、ウエブＷを熱処理装置５に案内する。皺延ばし装置１０については後から詳しく説明する。
【００１５】
熱処理装置５は、熱処理室５０１の前面にウエブＷの搬入口５０４が開口し、後面にウエブＷの搬出口５０５が開口している。熱処理室５０１内の走行路の上方には所定間隔毎に上ノズル５０２が配され、走行路の下方には下ノズル５０３が、上ノズル５０２と千鳥状になるように配されている。熱処理室５０１に搬入されたウエブＷは、上ノズル５０２からの熱風と下ノズル５０３からの熱風によって上下面が熱処理され搬出される。熱処理装置５から搬出された熱処理後のウエブＷは、案内ローラ６を経て次の工程に送られる。
【００１６】
（２）皺延ばし装置１０の構成
次に、皺延ばし装置１０の構成について図２と図３に基づいて説明する。皺延ばし装置１０は、左右一対の上粘着ローラ１２と、左右一対の下粘着ローラ１４とを有している。
【００１７】
左右一対の上粘着ローラ１２，１２は、上回転軸１６によって同軸に取り付けられ、上モータ１８によってウエブＷの走行速度に合わせて、かつ、走行方向に沿って回転する。左右一対の上粘着ローラ１２，１２が取り付けられている位置は、ウエブＷの両耳部であって、塗工液が塗工された塗工部２０の両側の非塗工部に位置している。左右一対の上粘着ローラ１２，１２は、ゴムローラであって、その表面に１０〜２００ｈｐａの粘着力を有している。なお、粘着力は、ＪＩＳ−Ｋ−６２５６に準じた値である。
【００１８】
左右一対の下粘着ローラ１４，１４は、上粘着ローラ１２，１２よりも下流に配され、下回転軸２２によって同軸に回転し、かつ、下モータ２４によってウエブＷの走行速度に合わせて回転する。左右一対の下粘着ローラ１４，１４の取り付け位置は、ウエブＷの下面における両耳部であって、下面の塗工部の両側の非塗工部に位置している。また、下粘着ローラ１４も、ゴムローラよりなり、表面に１０〜２００ｈｐａの粘着力を有している。
【００１９】
（３）皺延ばし装置１０の役割
次に、皺延ばし装置１０の役割について説明する。第１塗工装置２、第２塗工装置４によって両面が塗工されたウエブＷが、熱処理装置５に搬入される前に皺を延ばして均等に熱処理させる必要がある。そのため、先ず、ウエブＷの上面に関して、左右一対の上粘着ローラ１２，１２が、塗工されていないウエブＷの両耳部に粘着し、その粘着力によりウエブＷを引っ張って塗工部２０を含めて皺を延ばす。そのため、バックアップロールが不要となる。
【００２０】
次に、ウエブＷが走行しウエブＷの下面にある左右一対の下粘着ローラ１４，１４が、ウエブＷの下面で塗工されていない両耳部に粘着し、塗工部２０を含めて皺を再び延ばす。
【００２１】
これによって、熱処理装置５に搬入される前にウエブＷの皺が延ばされ、均等に塗工部２０を乾燥させることができる。
【００２２】
（４）効果
本実施形態によれば、皺延ばし装置１０の上粘着ローラ１２，１２と下粘着ローラ１４，１４が、ウエブＷにおける塗工液が塗工されていない両耳部に粘着して皺を延ばし、熱処理装置５で熱処理する場合に皺がなく均等にウエブＷの塗工部２０を加熱できる。
【００２３】
また、上粘着ローラ１２と下粘着ローラ１４は、粘着力があるためその粘着力によって皺を延ばすことができ、従来のようにバックアップロールで挟み込んで皺を延ばす必要がない。そのため、ウエブＷの上下面に塗工液が塗工されていても皺を延ばすことができる。
【００２４】
（５）変更例１
次に、上記実施形態の皺延ばし装置１０の変更例１について図４に基づいて説明する。ウエブＷの上下面に左右の塗工部２０，２０と非塗工部２８を有するストライプ塗工を行う場合には、この左右の塗工部２０，２０の間にある非塗工部２８と接触するように中粘着ローラ２６を設ける。この中粘着ローラ２６は、上粘着ローラ１２や下粘着ローラ１４と同様に粘着力を有し、非塗工部２８に接触して粘着し、中央部分の皺を延ばす。
【００２５】
なお、下粘着ローラ１４，１４の間にも中粘着ローラ２６を設けてもよい。
【００２６】
また、この変更例１では非塗工部２８は１箇所であったが、非塗工部２８が複数あるストライプ塗工の場合には、各非塗工部２８に対応して中粘着ローラ２６を上粘着ローラ１２や下粘着ローラ１４にそれぞれ設けてもよい。
【００２７】
（６）変更例２
次に、変更例２について図５に基づいて説明する。上記実施形態では、上粘着ローラ１２と下粘着ローラ１４の回転は、走行方向に沿って回転していた。これに代えて、変更例２では、左右一対の上粘着ローラ１２，１２が走行方向に対しウエブＷの外側にθ°傾斜し、ウエブＷを拡布するように配する。但し、０°＜＝θ°＜＝４５°である。なお、「走行方向に対しウエブＷの外側に傾斜する」とは、走行方向の下流ほど上粘着ローラ１２と下粘着ローラ１４が外側に広がる状態を意味している。また、下粘着ローラ１４，１４も同様に走行方向に対しウエブＷの外側にθ°傾斜している。なお、左右一対の上粘着ローラ１２，１２と左右一対の下粘着ローラ１４，１４の角度を変えるために、粘着ローラ毎にモータ３０を設け、個々に走行方向に対し傾斜させつつ回転させる。
【００２８】
これにより、ウエブＷが上粘着ローラ１２と下粘着ローラ１４とによって拡布され、皺をより延ばすことができる。
【００２９】
（７）その他の変更例
上記実施形態では、ウエブＷとして金属箔を用いたが、これに代えてフィルムなどの長尺状のウエブを加工するときも皺延ばし装置１０を用いることができる。
【００３０】
また、上記実施形態では、塗工システム１に皺延ばし装置１０を用いたが、これに限らず他のシステムに本実施形態の皺延ばし装置１０を用いてもよい。
【００３１】
また、上記実施形態では、ウエブＷの上下面に上粘着ローラ１２と下粘着ローラ１４を設けたが、これに代えて上粘着ローラ１２のみを設けてもよく、また、下粘着ローラ１４のみを設けてもよい。
【００３２】
また、上記実施形態では、ウエブＷの上下面に上粘着ローラ１２と下粘着ローラ１４をずらせて設けたが、これに代えて、上下に同じ位置に設け、上粘着ローラ１２と下粘着ローラ１４でウエブＷを挟んでもよい。
【００３３】
また、上記実施形態では、ウエブＷが水平に走行する場合で説明したが、これに代えてウエブＷの走行方向が上下方向に傾斜していたり、ウエブＷを垂直方向に走行させ上粘着ローラ１２と下粘着ローラ１４とをそれぞれウエブＷの一方の片面と他方の片面に配してもよい。
【００３４】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１０・・・走行装置、１２・・・上粘着ローラ、１４・・・下粘着ローラ、１６・・・上回転軸、１８・・・上モータ、２２・・・下回転軸、２４・・・下モータ、２６・・・中粘着ローラ
【図１】
0006533410.tif 000002
【図２】
0006533410.tif 000003
【図３】
0006533410.tif 000004
【図４】
0006533410.tif 000005
【図５】
0006533410.tif 000006